(57)【要約】【課題】  コンテンツの実際サイズを正確に分析することができる携帯端末機におけるコンテンツのサイズ分析方法を提供する。【解決手段】  コンテンツに使用されたビデオコーデックの種類を判断する過程と、前記判断結果によって、ビデオコーデック特定階層をデコーディングしてコンテンツのサイズ情報を分析する過程と、前記分析結果によって、メモリを割り当て、再生可否を確認する過程と、から構成される。コンテンツに使用されたビデオコーデックの種類を判断する過程と、前記判断結果によって、ビデオコーデック端をデコーディングしてコンテンツのサイズ情報を分析する過程と、前記分析結果によって、再生可能な画像に該当するだけのメモリを割り当てる過程と、から構成されることを特徴とする携帯端末機におけるコンテンツのサイズ分析方法。【選択図】  図３
2006129438.tif 000002
【特許請求の範囲】
【請求項１】
ビデオコーデック端に明示されたコンテンツのサイズ情報を分析してコンテンツの再生可能可否を判断することを特徴とする携帯端末機におけるコンテンツのサイズ分析方法。
【請求項２】
前記ビデオコーデックは、ＭＥＰＧ−４であることを特徴とする請求項１に記載の携帯端末機におけるコンテンツのサイズ分析方法。
【請求項３】
前記コンテンツのサイズ分析は、ＭＥＰＧ−４のビジュアルオブジェクトレイヤーをデコーディングすることで遂行されることを特徴とする請求項２に記載の携帯端末機におけるコンテンツのサイズ分析方法。
【請求項４】
前記ビデオコーデックは、Ｈ．２６３であることを特徴とする請求項１に記載の携帯端末機におけるコンテンツのサイズ分析方法。
【請求項５】
前記コンテンツのサイズ分析は、Ｈ．２６３のピクチャレイヤーをデコーディングすることで遂行されることを特徴とする請求項１及び４に記載の携帯端末機におけるコンテンツのサイズ分析方法。
【請求項６】
コンテンツに使用されたビデオコーデックの種類を判断する過程と、
前記判断結果によって、ビデオコーデック端をデコーディングしてコンテンツのサイズ情報を分析する過程と、
前記分析結果によって、再生可能な画像に該当するだけのメモリを割り当てる過程と、
から構成されることを特徴とする携帯端末機におけるコンテンツのサイズ分析方法。
【請求項７】
前記ビデオコーデックの種類は、ＭＥＰＧ−４であることを特徴とする請求項６に記載の携帯端末機におけるコンテンツのサイズ分析方法。
【請求項８】
前記コンテンツのサイズ情報は、ＭＥＰＧ−４の特定階層をデコーディングすることで分析されることを特徴とする請求項６に記載の携帯端末機におけるコンテンツのサイズ分析方法。
【請求項９】
前記特定階層は、ＭＥＰＧ−４の１番目のビジュアルオブジェクトレイヤーであることを特徴とする請求項８に記載の携帯端末機におけるコンテンツのサイズ分析方法。
【請求項１０】
前記ビデオコーデックの種類は、Ｈ．２６３であることを特徴とする請求項６に記載の携帯端末機におけるコンテンツのサイズ分析方法。
【請求項１１】
前記コンテンツのサイズ情報は、Ｈ．２６３の特定階層をデコーディングすることで分析されることを特徴とする請求項１０に記載の携帯端末機におけるコンテンツのサイズ分析方法。
【請求項１２】
前記特定階層は、Ｈ．２６３のピクチャレイヤーであることを特徴とする請求項１１に記載の携帯端末機におけるコンテンツのサイズ分析方法。
【発明の詳細な説明】
【技術分野】
【０００１】
本発明は、携帯端末機に関し、特に、コンテンツの実際サイズを正確に分析することができる携帯端末機におけるコンテンツのサイズ分析方法に関する。
【背景技術】
【０００２】
移動通信技術及び携帯端末機の製造技術の発達によって、携帯端末機の使用者は、携帯端末機を利用して動画像を見たり、音楽を聞いたり、インターネッ及びとモバイルゲームを楽しめるようになった。現在の携帯端末機は、単純に携帯電話機ではなく、携帯用エンターテイメントシステムと呼ばれている。
【０００３】
携帯端末機によって再生できる動画像、音楽、ゲーム、電子図書（ｅ−Ｂｏｏｋ）などをモバイルコンテンツ（Ｍｏｂｉｌｅ  ｃｏｎｔｅｎｔｓ）またはコンテンツと言い、携帯端末機を利用してコンテンツを再生する時は、コンテンツのピクセルサイズ（Ｗｉｄｔｈ＊Ｈｅｉｔｈ）によって再生可能可否と及びモリ割り当て可否が決定される。
【０００４】
一般的に、携帯端末機においてコンテンツの再生可能可否及びメモリ割り当て可否を決定するためにコンテンツのサイズを分析（ｐａｒｓｉｎｇ）する場合、コンテンツのファイルフォーマットヘッダー（Ｆｉｌｅ  Ｆｏｒｍａｔ  Ｈｅａｄｅｒ）に明示されたコンテンツサイズ情報（ｓｉｚｅ  ｉｎｆｏｒｍａｔｉｏｎ）のみを利用する。
【０００５】
前記ファイルフォーマットヘッダーには、コンテンツの種類、サイズ、コンテンツを構成する各データの配列情報などが記述されているため、コンテンツのサイズ分析が容易である。
【０００６】
しかしながら、ファイルフォーマットヘッダーに明示されたコンテンツサイズ情報を利用するコンテンツサイズ分析は、分析自体は容易であるが、実際コンテンツのサイズより小さくまたは大きく明示される場合が多いため、分析結果が不正確で、信頼度が劣化するという問題点がある。
【０００７】
また、コンテンツの再生時、ファイルフォーマットヘッダーに明示された情報を分析した後、再生できる資料であると確認されてデコーディング（Ｄｅｃｏｄｉｎｇ）が決定されると、ビデオコーデック（ｃｏｄｅｃ）をデコーディングしてからオーディオコーデックをデコーディングする順序に進行されるが、コンテンツの実際サイズと異なってファイルフォーマットヘッダーに明示された場合、デコーディング段階でエラー処理が円滑に行われることができいという問題点がある。
【０００８】
例えば、コンテンツのサイズが実際のサイズより小さくファイルフォーマットヘッダーに明示された場合、携帯端末機ではファイルフォーマットヘッダーに明示されたサイズに対してメモリを割り当てるため、実際コンテンツのサイズは、割り当てられた空間以上になり、メモリに貯蔵が不可能になる。よって、携帯端末機がダウンされるか、または、ロックアップ（ｌｏｃｋｕｐ）される現象が発生する。
【０００９】
逆に、コンテンツのサイズが実際サイズより大きくファイルフォーマットヘッダーに明示された場合も、コンテンツ再生にエラーが発生するなどの問題点が発生する。
【発明の開示】
【発明が解決しようとする課題】
【００１０】
本発明は、前述したような問題点を解決するために提案されたもので、本発明の目的は、コンテンツの実際サイズを正確に分析することができる携帯端末機におけるコンテンツのサイズ分析方法を提供することにある。
【課題を解決するための手段】
【００１１】
このような目的を達成するために本発明による携帯端末機におけるコンテンツのサイズ分析方法は、コンテンツに使用されたビデオコーデックの種類を判断する過程と、前記判断結果によって、ビデオコーデック特定階層をデコーディングしてコンテンツのサイズ情報を分析する過程と、前記分析結果によって、メモリを割り当て、再生可否を確認する過程と、から構成される。
【００１２】
望ましく、前記ビデオコーデックは、ＭＥＰＧ−４またはＨ．２６３であることを特徴とする。
【００１３】
望ましく、前記特定階層は、ビジュアルオブジェクトレイヤーまたはピクチャレイヤーであることを特徴とする。
【００１４】
望ましく、前記ビデオコーデックがＭＥＰＧ−４である場合は、ＭＥＰＧ−４の１番目のＶＯＬをデコーディングしてコンテンツのサイズ情報を分析し、前記ビデオコーデックがＨ．２６３である場合は、Ｈ．２６３の１番目のＰＬをデコーディングしてコンテンツのサイズ情報を分析することを特徴とする。
【００１５】
上記目的を達成するために、本発明は、例えば、以下の手段を提供する。
（項目１）
ビデオコーデック端に明示されたコンテンツのサイズ情報を分析してコンテンツの再生可能可否を判断することを特徴とする携帯端末機におけるコンテンツのサイズ分析方法。
（項目２）
前記ビデオコーデックは、ＭＥＰＧ−４であることを特徴とする項目１に記載の携帯端末機におけるコンテンツのサイズ分析方法。
（項目３）
前記コンテンツのサイズ分析は、ＭＥＰＧ−４のビジュアルオブジェクトレイヤーをデコーディングすることで遂行されることを特徴とする項目２に記載の携帯端末機におけるコンテンツのサイズ分析方法。
（項目４）
前記ビデオコーデックは、Ｈ．２６３であることを特徴とする項目１に記載の携帯端末機におけるコンテンツのサイズ分析方法。
（項目５）
前記コンテンツのサイズ分析は、Ｈ．２６３のピクチャレイヤーをデコーディングすることで遂行されることを特徴とする項目１及び４に記載の携帯端末機におけるコンテンツのサイズ分析方法。
（項目６）
コンテンツに使用されたビデオコーデックの種類を判断する過程と、
前記判断結果によって、ビデオコーデック端をデコーディングしてコンテンツのサイズ情報を分析する過程と、
前記分析結果によって、再生可能な画像に該当するだけのメモリを割り当てる過程と、
から構成されることを特徴とする携帯端末機におけるコンテンツのサイズ分析方法。
（項目７）
前記ビデオコーデックの種類は、ＭＥＰＧ−４であることを特徴とする項目６に記載の携帯端末機におけるコンテンツのサイズ分析方法。
（項目８）
前記コンテンツのサイズ情報は、ＭＥＰＧ−４の特定階層をデコーディングすることで分析されることを特徴とする項目６に記載の携帯端末機におけるコンテンツのサイズ分析方法。
（項目９）
前記特定階層は、ＭＥＰＧ−４の１番目のビジュアルオブジェクトレイヤーであることを特徴とする項目８に記載の携帯端末機におけるコンテンツのサイズ分析方法。
（項目１０）
前記ビデオコーデックの種類は、Ｈ．２６３であることを特徴とする項目６に記載の携帯端末機におけるコンテンツのサイズ分析方法。
（項目１１）
前記コンテンツのサイズ情報は、Ｈ．２６３の特定階層をデコーディングすることで分析されることを特徴とする項目１０に記載の携帯端末機におけるコンテンツのサイズ分析方法。
（項目１２）
前記特定階層は、Ｈ．２６３のピクチャレイヤーであることを特徴とする項目１１に記載の携帯端末機におけるコンテンツのサイズ分析方法。
【発明の効果】
【００１６】
本発明による携帯端末機におけるコンテンツのサイズ分析方法は、ビデオコーデック端に明示されたコンテンツのサイズ情報を分析してコンテンツの再生可能可否を確認することによって、コンテンツサイズ分析の信頼度を向上させ、携帯端末機の誤動作を防止することができるという効果がある。
【発明を実施するための最良の形態】
【００１７】
以下、図面を参照して本発明の望ましい実施形態を説明する。
【００１８】
図１は、本発明に適用される画像コンテンツ１００の構造を示す構造図である。
【００１９】
図１に示すように、画像コンテンツ１００は、ビデオコーデック端１１４と、オーディオコーデック端１１６と、前記ビデオコーデック端１１４及びオーディオコーデック端１１６を覆っているファイルフォーマット１１０と、コンテンツのピクセルサイズ及びコーデックの種類などのコンテンツと関連したほぼ全ての情報を含んでいるファイルフォーマットヘッダー１１２と、から構成される。
【００２０】
上位階層であるファイルフォーマットヘッダー１１２の情報を分析してデコーディング及びファイル再生時に利用する従来の方法は、作業の速度面では効率的であるが、前述したように、ファイルフォーマットヘッダー１１２に明示されたコンテンツサイズ情報の信頼度が劣化するので、それによる端末機の誤動作を防止するために、本発明ではビデオコーデック端１１４に明示されたコンテンツのサイズ情報を利用する。
【００２１】
一般的な移動通信環境で使用されるビデオコーデックとしては、ＭＰＥＧ−４とＨ．２６３があり、図２は、一般的なＭＥＰＧ−４及びＨ．２６３の構造図である。
【００２２】
図２に示すように、ＭＥＰＧ−４は、色々なフレームを覆っているビジュアルオブジェクトレイヤー（Ｖｉｓｕａｌ  Ｏｂｊｅｃｔ  Ｌａｙｅｒ：  以下、ＶＯＬと称する）と、前記ＶＯＬを構成するビジュアルオブジェクトプレーン（Ｖｉｓｕａｌ  Ｏｂｊｅｃｔ  Ｐｌａｎｅ：  ＶＯＰ）と、からなり、Ｈ．２６３は、フレームごとに存在するピクチャレイヤー（Ｐｉｃｔｕｒｅ  Ｌａｙｅｒ：  以下、ＰＬと称する）からなる。
【００２３】
３ＧＰＰ（３ｒｄ  Ｇｅｎｅｒａｔｉｏｎ  Ｐａｒｔｎｅｒｓｈｉｐ  Ｐｒｏｊｅｃｔ）で発表した標準スペック３ＧＰＰ  ＴＳ  ２６．２４４ｖ．０．１．３から分かるように、前記ＭＥＰＧ−４の場合、ＶＯＬにコンテンツのサイズ情報が存在し、Ｈ．２６３の場合は、ＰＬにコンテンツのサイズ情報が存在する。
【００２４】
一般的に、同一のコンテンツ内で各フレームのサイズは同一であるので、ＭＥＰＧ−４の場合、１番目のＶＯＬをデコーディングすることでコンテンツのサイズを確認し、Ｈ．２６３の場合は、１番目のＰＬをデコーディングすることでコンテンツのサイズを確認することができる。前記確認されたサイズによってメモリを割り当てると、コンテンツの再生可能可否をより正確に決定することができる。
【００２５】
図３は、本発明の一実施形態による携帯端末機におけるコンテンツのサイズ分析方法の実現過程を示すフローチャートである。
【００２６】
図３を参照すると、使用者が携帯端末機においてコンテンツの再生を試みると（Ｓ３１０）、携帯端末機のプロセッサは、前記コンテンツに使用されたコーデックがＭＥＰＧ−４であるかを、即ち、ＭＥＰＧ−４であるか、それともＨ．２６３であるかを判断する（Ｓ３２０）。
【００２７】
前記判断結果、コンテンツに使用されたコーデックがＭＥＰＧ−４である場合、携帯端末機のプロセッサは、ＭＥＰＧ−４の１番目のＶＯＬをデコーディングしてコンテンツのサイズ情報を分析する（Ｓ３３０）。
【００２８】
反面、前記判断結果、コンテンツに使用されたコーデックがＨ．２６３である場合、携帯端末機のプロセッサは、Ｈ．２６３の１番目のＰＬをデコーディングしてコンテンツのサイズ情報を分析する（Ｓ３４０）。
【００２９】
前記分析結果によって、メモリを割り当て、再生可否を確認する（Ｓ３５０）。
【００３０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３１】
コンテンツの実際サイズを正確に分析することができる携帯端末機におけるコンテンツのサイズ分析方法を提供する。
【００３２】
コンテンツに使用されたビデオコーデックの種類を判断する過程と、前記判断結果によって、ビデオコーデック特定階層をデコーディングしてコンテンツのサイズ情報を分析する過程と、前記分析結果によって、メモリを割り当て、再生可否を確認する過程と、から構成される。
【図面の簡単な説明】
【００３３】
【図１】本発明に適用される画像コンテンツの構造図である。
【図２】本発明による携帯端末機におけるコンテンツのサイズ分析方法の概念を示す図である。
【図３】本発明の一実施形態による携帯端末機におけるコンテンツのサイズ分析方法の実現過程を示すフローチャートである。
【符号の説明】
【００３４】
１００：画像コンテンツ
１１０：ファイルフォーマット
１１２：ファイルフォーマットヘッダー
１１４：ビデオコーデック端
１１６：オーディオコーデック端
【図１】
2006129438.tif 000003
【図２】
2006129438.tif 000004
【図３】
2006129438.tif 000005